(57)【要約】      （修正有）【課題】屋外用幟旗を室内でも利用できる幟旗支柱取付具を提供する。【解決手段】幟旗の支柱３の上部周辺部において、支柱３を抱え、取付面に挟み締め付けるための第１の抑え金具と、幟旗の支柱の下部周辺部において、支柱３を抱え、取付面に挟み締め付けるための第２の抑え金具と、吸盤１と、を具備する幟旗支柱取付具であって、前記第１および第２の抑え金具は、取付面上に圧着すべき吸盤１に、その両端を跨設する跨設部と、変形自在の前記第１および第２の抑え金具の中央部分が支柱３を抱えるため、湾曲状に形成された挟着部と、を有することを最も主要な特徴とする。【選択図】図１
0003177372.tif 000002
【実用新案登録請求の範囲】
【請求項１】
幟旗の支柱の上部周辺部において、支柱を抱え、取付面に挟み締め付けるための第１の抑え金具と、
幟旗の支柱の下部周辺部において、支柱を抱え、取付面に挟み締め付けるための第２の抑え金具と、
吸盤と、を具備する幟旗支柱取付具であって、
前記第１および第２の抑え金具は、
取付面上に圧着すべき吸盤に、その両端を跨設する跨設部と、
変形自在の前記第１および第２の抑え金具の中央部分が支柱を抱えるため、湾曲状に形成された挟着部と、
を有することを特徴とする幟旗支柱取付具。
【請求項２】
前記第１の抑え金具が、前記第２の抑え金具より長い請求項１に記載の幟旗支柱取付具。
【考案の詳細な説明】
【技術分野】
【０００１】  本考案は、幟旗支柱取付具に関し、幟旗の支柱を取付面に挟み締め付けるための支柱取付具に関する。
【背景技術】
【０００２】  室内用ＰＯＰとしては、タペストリー、ポスターハンガーが広く使われている。タペストリー、ポスターハンガーを室内に飾り付ける手段としては、石膏ボード製の壁、天井にピンで吊したり、ピン止めする方法が広く使われている。ピン止めの方法は、ピン止めの跡が見苦しく残る欠点がある。【０００３】  これを防ぐために、吸盤・粘着盤等の取付治具を利用してデスプレー品を支持した提案もある（特許文献１）。しかし、この案は、デスプレー品を片持ちで支持したに過ぎず、屋外用として広く利用されている展示用幟旗の有する大型デスプレーを安定的に展示することは不可能であるという欠点がある。【０００４】  この改善策として、そのような仕掛けを特別に準備するのでなく、屋外用幟旗を室内で利用しようとする試みが要求されるようになった。【０００５】  屋外において、幟旗の支柱を立設する手段としては、支柱を台座に装設するのが一般的である（特許文献２）。しかし、屋外用幟旗を室内で利用しようとすると、室内には台座を置くスペースがない。そこで、台座に代わって、支柱を立設する手段が求められている。
【先行技術文献】
【特許文献】
【０００６】
【特許文献１】特許第３６１４３８４号公報
【特許文献２】特開２００３−３６０４３号公報
【考案の概要】
【考案が解決しようとする課題】
【０００７】  解決しようとする問題点は、屋外用幟旗を室内で利用しようとするとき、屋外で使用していた台座を室内では使用することができない点である。
【課題を解決するための手段】
【０００８】  本考案は、かかる状況を解決するために考案されたもので、
幟旗の支柱の上部周辺部において、支柱を抱え、取付面に挟み締め付けるための第１の抑え金具と、
幟旗の支柱の下部周辺部において、支柱を抱え、取付面に挟み締め付けるための第２の抑え金具と、
吸盤と、を具備する幟旗支柱取付具であって、
前記第１および第２の抑え金具は、
取付面上に圧着すべき吸盤に、その両端を跨設する跨設部と、
変形自在の前記第１および第２の抑え金具の中央部分が支柱を抱えるため、湾曲状に形成された挟着部と、
を有することを最も主要な特徴とする。
【考案の効果】
【０００９】  本考案の幟旗用支柱取付具は、支柱を取付面に挟み締め付けるための抑え金具を有するので、吸盤を取付面に圧着することによって、幟旗の支柱が、取付面に取付けられ、立設のための台座を必要としないという利点がある。
【図面の簡単な説明】
【００１０】
【図１】本考案の実施状態を示した平面図である。（実施例１）
【図２】図１のＡ−Ａ断面図である。
【図３】本考案の実施方法を示した平面図である。（実施例２）
【図４】図３のＡ−Ａ断面図である。
【図５】（ａ）本考案の実施方法を示した平面図であり、（ｂ）本考案の実施方法を示した側面図である。（実施例３）
【考案を実施するための形態】
【００１１】  幟旗の支柱立設のための台座を不要とする目的を、最小の部品点数で実現した。本明細書においては、取付面は、透明ガラス、鏡面、プラスティック面、金属塗装面、模様のないステンレス面などであり、油、ごみなどの汚れのない面とする。記載されている寸法は、概略値であり、記載されている素材以外の素材でも、この明細書の趣旨を逸脱しない範囲で利用することができる。支柱３の上部周辺部は、幟旗上辺の近傍を指し、下部周辺部は、幟旗下辺の近傍を指すものとする。幟旗は、幟旗本体６が、横竿５と支柱３にそれぞれチチ７で、組み立てられている。
【実施例１】
【００１２】  図１は、本考案を窓枠１１，１２のある取付面８に適用した実施例１の平面図であり、１〜１０、２１、２２、５１は、図３と同様である。図２は、図１のＡ−Ａ断面図である。【００１３】  図１および図２において、窓枠１１，１２のある取付面８に、本考案を適用した状況を説明する。図１では、支柱３の長さは、床面９から、窓枠１１に及ぶ。支柱３の上部は、ターントップ４が窓枠１１に接し、支柱３の下部は窓枠１２に接する。吸盤１の大きさは、直径５５ｍｍ乃至は８０ｍｍである。抑え金具２は、塩化ビニール系樹脂被覆アルミ線で変形自在であって、太さ６．４〜１１ｍｍであり、長さは、２０ｃｍである。抑え金具２の中央部は、湾曲状に変形して挟着部２１を形成し、抑え金具２の両端は、跨設部２２において、吸盤突起１０に挿嵌される。【００１４】  支柱３の上部および下部周辺部において、挟着部２１で支柱３の円周方向に捲き包み込むように、吸盤１を取付面８に押し付ける。押し付けられた力は跨設部２２を介して、支柱３を取付面８方向に引き寄せる。抑え金具２の表面が塩化ビニール系樹脂であるので、支柱３は、弛みなく、窓枠１１，１２の２箇所に押し付けられ、保持される。図１に示すように、支柱３の最下端は床面９に突き当たり上下の移動は拘束される。支柱が長く、大きい場合は、上下中間点に一組の支柱取付具を追加する。【００１５】  図２に示すように、横竿Ｂ部５１の長さが、窓枠深さ１３より小さい場合は、幟旗本体６は、支柱３回りに回して、取付面８に対してある角度をとることができる。
【実施例２】
【００１６】  図３は、本考案を窓枠のない取付面８に適用した実施例２の平面図である。図４は、図３のＡ−Ａ断面図である。図３および図４において、本考案を適用した状況を説明する。支柱３の上部および下部周辺部において、挟着部２１で支柱３の円周方向に捲き包み込むように、吸盤１を取付面８に押し付ける。押し付けられた力は跨設部２２を介して、支柱３を取付面８方向に引き寄せる。抑え金具２の表面が塩化ビニール系樹脂であるので、支柱３は、弛みなく、取付面８に押し付けられ、保持される。支柱３の最下端は床面９に突き当たり上下の移動は拘束される。その他は実施例１と同じであるので、説明を省略する。【００１７】  図３で判断できるように、横竿Ｂ部５１の長さが、ゼロであれば、幟旗本体６は、支柱３回りに回して、取付面８に対してある角度をとることができる。
【実施例３】
【００１８】  図５（ａ）は、本考案の請求項２に対応した実施例３の平面図であり、（ｂ）は、その側面図である。図５（ａ）（ｂ）によって、本考案を適用した状況を説明する。抑え金具２は、２ａ、２ｂの２種類があって、長さが異なる。２ａは、３０ｃｍで、２ｂは２０ｃｍである。その他は実施例１と同じであるので、説明を省略する。【００１９】  支柱３の上下周辺部において、挟着部２１で支柱３の円周方向に捲き込むように、吸盤１を取付面８に押し付ける。抑え金具２ａは、長く、抑え金具２ｂは、短いので、支柱３は、取付面８から傾き、且つ取付面８から離れた状態で保持される。抑え金具２ａ、２ｂは、前述のように、塩化ビニール樹脂被覆アルミ線で変形自在であるので、支柱３を捲き込むように、形成することは容易である。支柱３が捲き込まれるように、形成されており、抑え金具２の表面が塩化ビニール樹脂で覆われているので、支柱３が、取付面８から離れた状態でも弛みなく、幟旗は、安定している。
【符号の説明】
【００２０】  １  吸盤
２、２ａ、２ｂ  抑え金具
３  支柱
８  取付面
９  床面
１０  吸盤突起
２１  挟着部
２２  跨設部
【図１】
0003177372.tif 000003
【図２】
0003177372.tif 000004
【図４】
0003177372.tif 000005
【図３】
0003177372.tif 000006
【図５】
0003177372.tif 000007